(57)【要約】【課題】略Ｕ字状のアームの先端からさらに握り部を延出させる必要がないドアガードを提供することを課題とする。【解決手段】ドアガードは扉２又は扉枠１のいずれか一方に回動可能に連結されたアーム４と、扉枠１又は扉２のいずれか他方に取り付けられたアーム係止具３を備えている。アーム４は平行に延びる二本のレール４ａ、４ｂと、二本のレール４ａ、４ｂの先端を連結する連結部４ｃを有する。アーム係止具３は頭部３ａと軸部３ｂを備えている。二本のレール４ａ、４ｂの少なくとも一方にアーム係止具３の頭部３ｂが当接する突部４ｄが形成されており、アーム係止具３の頭部３ａと突部４ｄが当接することによりそれ以上の開扉が阻止される。【選択図】図４
2010112117.tif 000002
【特許請求の範囲】
【請求項１】
扉又は扉枠のいずれか一方に回動可能に連結されたアームと、扉枠又は扉のいずれか他方に取り付けられたアーム係止具とを備え、該アームは平行に延びる二本のレールと該二本のレールの先端を連結する連結部を有し、該アーム係止具は頭部と軸部を備えるドアガードにおいて、該二本のレールの少なくとも一方には該アーム係止具の頭部が当接する突部が形成され、該アーム係止具の頭部と該突部が当接することによりそれ以上の開扉が阻止されることを特徴とするドアガード。
【請求項２】
該アームは底壁と側壁を有し、該突部は該底壁と該側壁と共に該アームの先端側に空間を画成することを特徴とする請求項１に記載のドアガード。
【発明の詳細な説明】
【技術分野】
【０００１】
本発明は、開扉を所定角度に制限して無用の人の不法侵入を阻止することができるドアガードに関するものである。
【背景技術】
【０００２】
この種のドアガードは、略水平方向に回動するようにその基端部が扉内面に取り付けられるアームと、該アームを係止すべく扉枠に取り付けられるアーム係止具とを備えている。アームは全体として略Ｕ字状に形成されることによりその上下方向略中央には長手方向に沿ってスリットが延設され、その折曲側が先端側になり開口側が基端側となるように扉内面に軸支される。また、アーム係止具は頭部が膨大した係止突起を有しており、該頭部が挿入できるように、アームの上下両腕部はその基端部において部分的に上下に更に離間して、アームの基端部にスリットと連通しスリットよりも幅広の導入口が形成されている。
【０００３】
そして、扉内面に沿った通常位置からアームを扉枠側に向けて所定角度起立させてガード位置とすると、扉枠から扉側に向けて、すなわち、扉が設置される扉枠の開口部内方に向けて略水平に突出した状態にあるアーム係止具の係止突起が、アームの導入口に挿入される。即ち、アームの上下両腕部間に係止突起が位置して、アームと係止突起とは上下に重合した状態となる。
【０００４】
かかるガード位置にアームをセットした後に開扉すると、係止突起は導入口からスリットへと進入してスリット内をアーム先端側へと相対移動する。係止突起がスリット内に進入すると、その頭部がアームの上下両腕部を係止してその通常位置への復帰を阻止する。そして、扉が所定角度まで開くと、係止突起の軸部がアームの先端の上下両腕部を連結するストッパ部に当接し、それにより、その角度以上の開扉が阻止される。
【０００５】
ところで、このようなドアガードにおいて、操作性を向上させるために、略Ｕ字状のアームの先端からさらに握り部を延出させる構成が知られている。（特許文献１参照）
【０００６】
この構成によれば、アームがガード位置にある場合には握り部を摘むことができる。しかし、このようにアームの先端からさらに握り部を延出させると、アームの重量が大きくなり、人が室外へ出る際扉を強く閉めた場合、扉と扉枠との衝突による衝撃によりアームが慣性により通常位置より起き上がり、意図せずドアガードが作動してしまい、再び室内に入ることが出来ない、所謂ロックアウト状態となるという問題を引き起こしやすくなってしまう。
【０００７】
【特許文献１】特開昭５４−１１２０００号公報
【発明の開示】
【発明が解決しようとする課題】
【０００８】
本発明は上記従来の問題に鑑みてなされ、アームの先端からさらに握り部を延出させる必要がないドアガードを提供することを課題とする。
【課題を解決するための手段】
【０００９】
上記課題を解決するため、本発明は、扉２又は扉枠１のいずれか一方に回動可能に連結されたアーム４と、扉枠１又は扉２のいずれか他方に取り付けられたアーム係止具３とを備え、該アーム４は平行に延びる二本のレール４ａ、４ｂと該二本のレール４ａ、４ｂの先端を連結する連結部４ｃを有し、該アーム係止具３は頭部３ａと軸部３ｂを備えるドアガードにおいて、該二本のレール４ａ、４ｂの少なくとも一方には該アーム係止具３の頭部３ａが当接する突部４ｄが形成され、該アーム係止具３の頭部３ａと該突部４ｄが当接することによりそれ以上の開扉が阻止されるドアガードを提供する。
【００１０】
ここで、該アーム４は底壁１２と側壁１３を有し、該突部４ｄが該底壁１２と該側壁１３と共に該アーム４の先端側に空間１１を画成することが好ましい。
【発明の効果】
【００１１】
本発明によれば、略Ｕ字状のアームの先端からさらに握り部を延出させる必要がないので、ロックアウト状態になる問題を引き起こしにくい等の効果を有する。
【発明を実施するための最良の形態】
【００１２】
以下、本発明の実施の形態について図面を用いて説明する。
【００１３】
図１乃至図４は、本発明によるドアガードの実施形態を示す図である。尚、図１乃至図４においては図の断面を示すハッチングは省略されている。
【００１４】
図1、図２に示すように、このドアガードは、外開き用の扉２に二本の軸５、５を介し起倒可能すなわち略水平方向に回動可能に連結されたアーム４と、扉枠１に取り付けられたアーム係止具３とを備える。軸５、５は夫々図示しない抜け止め手段を備えており、アーム４をベース６に回動可能に取り付けている。
【００１５】
アーム４は金属材料により形成された略Ｕ字状部材であり、図１に示すように、平行に延びる二本のレール４ａ、４ｂと二本のレール４ａ、４ｂの一端を閉じる連結部４ｃを具備する。アーム４は、二本のレール４ａ、４ｂが上下になって平行に延びるように扉の内表面２ａ上に配置される。
【００１６】
図１、図２に示すように、ベース６は３つのネジ９により扉２の内表面２ａ上に固定され、このベース６の上下の腕片６ａ、６ｂにアーム４の二本のレール４ａ、４ｂの他端が二本の軸５、５で回動可能に支持されることにより、アーム４がベース６に対して回動可能となり、扉２の内表面２ａ上において起倒可能となっている。
【００１７】
アーム４には、閉扉状態からのアーム４の略水平方向への回動によりアーム係止具３の頭部３ａが挿入される貫通孔７と、開扉時にアーム係止具３の頭部３ａをストップ位置までスライドさせる貫通孔７に連なる案内溝８とが設けられる。貫通孔７はアーム４のアーム係止具３側に形成される。具体的にはアーム４における二本のレール４ａ、４ｂ間であって、ベース６側に寄った箇所に形成される。
【００１８】
案内溝８は、アーム４の二本のレール４ａ、４ｂ間に貫通孔７から連結部４ｃに向かって延びるように形成され、貫通孔７よりも小さい幅で形成される。
【００１９】
図１、図２に示すように、アーム係止具３は扉枠１から扉２の内表面２ａに沿うように突出している。アーム係止具３は、ネジ１０、１０により扉枠１上に固定される基台部３ｃと、この基台部３ｃから延出する軸部３ｂと、軸部３ｂの先端に膨出形成された頭部３ａとを有している。頭部３ａは貫通孔７の開口よりも小さく、閉扉状態からアーム４を扉２の内表面２ａ上でアーム係止具３側に所定角度回動させると、頭部３ａはアーム４の貫通孔７内に挿入される。
【００２０】
図４に示すように、アーム４の二本のレール４ａ、４ｂと連結部４ｃは、底壁１２と、案内溝８の反対側の底壁１２の端縁から水平方向に延びる側壁１３とにより構成されている。アーム係止具３の頭部３ａは案内溝８の幅より大きくなっており、扉２が開閉されてアーム係止具３の軸部３ｂが案内溝８内に入った後は、アーム４の扉２上での倒動作は不能になる。
【００２１】
図４に示すように、アーム４の二本のレール４ａ、４ｂは、連結部４ｃの近傍箇所に突部４ｄ、４ｄを有している。突部４ｄ、４ｄは、底壁１２と側壁１３の双方から突出するように形成され、底壁１２からは水平方向に側壁１３の先端まで突出すると共に、側壁１３からは鉛直方向に案内溝８まで突出している。案内溝８は２つの突部４ｄ、４ｄの位置を越えて連結部４ｃの底壁１２に至る位置まで形成されている。扉２が開扉されることにより案内溝８をスライドしたアーム係止具３の頭部３ａが２つの突部４ｄ、４ｄに当接すると、図３に示すように、扉２のそれ以上の開扉が阻止されるようになっている。このように、アーム４の二本のレール４ａ、４ｂにアーム係止具３の頭部３ａと当接する突部４ｄ、４ｄを設けることにより、アーム係止具３の頭部３ａのストップ位置を連結部４ｃよりも手前の突部４ｄ、４ｄが形成された位置にすることが可能である。
【００２２】
図４に示すように、アーム係止具３の頭部３ａと２つの突部４ｄ、４ｄが当接して扉２の開扉が阻止された状態において、アーム４の先端側（図４において突部４ｄ、４ｄよりも右側）には、底壁１２と、側壁１３と、２つの突部４ｄ、４ｄとによって空間１１が画成される。この空間１１は、アーム４の連結部４ｃを大人が摘んだ場合に指の先端を掛けることができる程度の大きさになっている。空間１１をアーム４の先端側に画成することにより、アームの先端からさらに握り部を延出させなくとも、ドアガードを操作性のよいものとすることができる。
【００２３】
本発明のドアガードは、上述した実施形態に限定されず、特許請求の範囲で記載した範囲で種々の変形や改良が可能である。例えば、上述の実施形態においては、案内溝８が２つの突部４ｄ、４ｄの位置を越えて連結部４ｃの底壁１２に至る位置まで形成されたが、図５に示すように、突部４ｄを１つとして、案内溝８を突出部４ｄの位置まで形成するようにしてもよい。
【００２４】
また、上述の実施形態においては、アーム４の二本のレール４ａ、４ｂの両方に突部４ｄを設けたが、少なくとも一方のレールに突部４ｄが設けるようにしてもよい。
【００２５】
また、上述の実施形態においては、突部４ｄは、底壁１２と側壁１３の双方から突出するように形成され、底壁１２からは水平方向に側壁１３の先端まで突出すると共に、側壁１３からは鉛直方向に案内溝８まで突出していたが、これに限定されない。突部４ｄはアーム係止具３の頭部３ａをストップさせることができるようにアーム４に突出形成されていればよい。
【００２６】
また、上述の実施形態においては、アーム４は扉２に連結され、アーム係止具３は扉枠１に取り付けられたが、アーム４が扉枠１に連結され、アーム係止具３が扉２に取り付けられていてもよい。
【図面の簡単な説明】
【００２７】
【図１】本発明の実施形態のドアガードの正面図である。
【図２】本発明の実施形態のドアガードの平面図である。
【図３】本発明の実施形態のドアガードにおいて、扉の開扉が阻止された状態におけるドアガードの平面図である。
【図４】図３の矢印Ａ方向から見た本実施形態のドアガードの要部を示す図である。
【図５】図３の矢印Ａ方向から見た本実施形態のドアガードの変形例の要部を示す図である。
【符号の説明】
【００２８】
１          扉枠
２          扉
３          アーム係止具
３ａ        頭部
３ｂ        軸部
３ｃ        基台部
４          アーム
４ａ        レール
４ｂ        レール
４ｃ        連結部
４ｄ        突部
１１        空間
１２        底壁
１３        側壁
【図１】
2010112117.tif 000003
【図２】
2010112117.tif 000004
【図３】
2010112117.tif 000005
【図４】
2010112117.tif 000006
【図５】
2010112117.tif 000007